(57)【要約】【課題】測定データの記録可能数を多くすることができる測定データ記録装置を提供する。【解決手段】測定データ記録装置１は、所定サンプリング周期で測定データを順次取得するデータ取得部２と、測定データを記録するためのデータメモリ６と、データメモリ６に、データ取得部２が順次取得した複数の測定データを記録すると共に、所定条件に基づく一部の測定データに対し測定時刻を付して記録する記録処理部５と、データメモリ６に記録された複数の測定データを読み込んで、一部の測定データに付された測定時刻に基づいて、測定時刻の付されていない測定データの測定時刻を補完して、複数の測定データを出力する出力処理部７とを、備えている。【選択図】図１
2014202587.tif 000002
【特許請求の範囲】
【請求項１】
所定サンプリング周期で測定データを順次取得するデータ取得部と、
前記測定データを記録するためのデータメモリと、
前記データメモリに、前記データ取得部が順次取得した複数の前記測定データを記録すると共に、所定条件に基づく一部の前記測定データに対し測定時刻を付して記録する記録処理部と、
前記データメモリに記録された前記複数の測定データを読み込んで、前記一部の測定データに付された測定時刻に基づいて、測定時刻の付されていない前記測定データの測定時刻を補完して、前記複数の測定データを出力する出力処理部とを、備えることを特徴とする測定データ記録装置。
【請求項２】
前記記録処理部が、前記所定条件として、前記測定データに対し定期的に測定時刻を付すものであることを特徴とする請求項１に記載の測定データ記録装置。
【請求項３】
前記記録処理部が、前記所定条件として、前記複数の測定データのうちの１つにだけ測定時刻を付すものであることを特徴とする請求項１に記載の測定データ記録装置。
【請求項４】
前記所定条件を設定するための設定部を備えることを特徴とする請求項１から３のいずれか記載の測定データ記録装置。
【請求項５】
測定ユニットと本体とを備える測定データ記録装置であって、
前記測定ユニットが、前記データ取得部、前記記録処理部、及び無線通信部を備え、
前記本体が、前記データメモリ、前記出力処理部、及び無線通信部を備えて、
前記測定ユニットから前記本体に、前記各々の無線通信部を介して、前記複数の測定データ、及び前記一部の測定データに付された測定時刻を送信して、前記データメモリに記録することを特徴とする請求項１から４のいずれかに記載の測定データ記録装置。
【請求項６】
測定ユニットと本体とを備える測定データ記録装置であって、
前記測定ユニットが、前記データ取得部、及び無線通信部を備え、
前記本体が、前記記録処理部、前記データメモリ、前記出力処理部、及び無線通信部を備えて、
前記測定ユニットから前記本体に、前記各々の無線通信部を介して、前記複数の測定データ、及び前記複数の測定データの全てに測定時刻を付して送信することを特徴とする請求項１から４のいずれかに記載の測定データ記録装置。
【発明の詳細な説明】
【技術分野】
【０００１】
本発明は、測定データを時系列に沿って順次記録する測定データ記録装置に関するものである。
【背景技術】
【０００２】
波形記録計やデータロガーなど、測定データを記録する測定データ記録装置が知られている。このような装置の一例として、特許文献１には、測定時刻に関する情報と共に測定データが格納されるデータ保持部（データメモリ）を備える波形記録装置が記載されている。
【先行技術文献】
【特許文献】
【０００３】
【特許文献１】特開平１１−３７８０３号公報
【発明の概要】
【発明が解決しようとする課題】
【０００４】
測定データ記録装置は、時系列に沿った数多くの測定データ、及び各測定データに対する測定時刻を記録する必要がある。一方、測定データ及び測定時刻を記録するデータメモリには記録容量に制限がある。測定データの記録中にデータメモリの容量が一杯になってしまうと、それ以上記録することができなくなってしまう。そのため、データメモリに、より多くの測定データを記録したいという課題がある。
【０００５】
本発明は前記の課題を解決するためになされたもので、測定データの記録可能数を多くすることができる測定データ記録装置を提供することを目的とする。
【課題を解決するための手段】
【０００６】
前記の目的を達成するためになされた、特許請求の範囲の請求項１に記載された測定データ記録装置は、所定サンプリング周期で測定データを順次取得するデータ取得部と、前記測定データを記録するためのデータメモリと、前記データメモリに、前記データ取得部が順次取得した複数の前記測定データを記録すると共に、所定条件に基づく一部の前記測定データに対し測定時刻を付して記録する記録処理部と、前記データメモリに記録された前記複数の測定データを読み込んで、前記一部の測定データに付された測定時刻に基づいて、測定時刻の付されていない前記測定データの測定時刻を補完して、前記複数の測定データを出力する出力処理部とを、備えることを特徴とする。
【０００７】
請求項２に記載された測定データ記録装置は、請求項１に記載のものであり、前記記録処理部が、前記所定条件として、前記測定データに対し定期的に測定時刻を付すものであることを特徴とする。
【０００８】
請求項３に記載された測定データ記録装置は、請求項１に記載のものであり、前記記録処理部が、前記所定条件として、前記複数の測定データのうちの１つにだけ測定時刻を付すものであることを特徴とする。
【０００９】
請求項４に記載された測定データ記録装置は、請求項１から３のいずれかに記載のものであり、前記所定条件を設定するための設定部を備えることを特徴とする。
【００１０】
請求項５に記載された測定データ記録装置は、請求項１から４のいずれかに記載のものであり、測定ユニットと本体とを備える測定データ記録装置であって、前記測定ユニットが、前記データ取得部、前記記録処理部、及び無線通信部を備え、前記本体が、前記データメモリ、前記出力処理部、及び無線通信部を備えて、前記測定ユニットから前記本体に、前記各々の無線通信部を介して、前記複数の測定データ、及び前記一部の測定データに付された測定時刻を送信して、前記データメモリに記録することを特徴とする。
【００１１】
請求項６に記載された測定データ記録装置は、請求項１から４のいずれかに記載のものであり、測定ユニットと本体とを備える測定データ記録装置であって、前記測定ユニットが、前記データ取得部、及び無線通信部を備え、前記本体が、前記記録処理部、前記データメモリ、前記出力処理部、及び無線通信部を備えて、前記測定ユニットから前記本体に、前記各々の無線通信部を介して、前記複数の測定データ、及び前記複数の測定データの全てに測定時刻を付して送信することを特徴とする。
【発明の効果】
【００１２】
本発明の測定データ記録装置によれば、記録処理部が一部の測定データに対してだけ測定時刻を付して記録することにより、全ての測定データに対し測定時刻を記録する場合よりも、データメモリに記録するデータ量を少なくすることができるため、測定データの記録可能数を多くすることができる。測定時刻を記録しない測定データについては、出力処理部が測定時刻を補完して出力するので、全ての測定データの測定時刻を得ることができ、測定精度等は従来の装置と同等である。
【００１３】
記録処理部が測定データに対し、定期的に測定時刻を付して記録する場合、万が一データの記録抜けが生じたとしてもその影響を殆ど受けることなく、測定時刻を正確に補完することができる。
【００１４】
記録処理部が、複数の測定データのうちの１つにだけ測定時刻を付すものである場合、データメモリに記録するデータ量を最小限にすることができる。
【００１５】
所定条件を設定するための設定部を備える場合、測定者によって何れの測定データに対して測定時刻を付して記録するか設定できるので、万が一のデータの記録抜け等の発生に対する記録の正確さを任意に設定することができる。
【００１６】
測定ユニットと本体とが各々無線通信部を備えて、測定ユニットから本体に、複数の測定データ、及び、一部の測定データに付された測定時刻を無線通信で送信してデータメモリに記録する場合、データメモリに記録するデータ量を少なくすることができると共に、全ての測定データに対し測定時刻を付して測定ユニットから本体に送信する場合よりも、無線通信のデータ通信量を低減することができる。
【００１７】
測定ユニットと本体とが各々無線通信部を備え、測定ユニットから本体に、複数の測定データ、及び複数の測定データの全てに測定時刻を付して送信し、本体側で測定時刻を間引いて一部の測定データに対してだけ測定時刻を付して記録する場合、無線通信のデータ通信量は減らないが、冗長性が高くなるので測定時刻に対する通信エラーを低減することができる。
【図面の簡単な説明】
【００１８】
【図１】本発明を適用する測定データ記録装置の構成を示すブロック図である。
【図２】図２（ａ）は、全てに測定時刻を付した測定データを示す概要図であり、図２（ｂ）は、一部に測定時刻を付した測定データを示す概要図である。
【図３】本発明を適用する他の測定データ記録装置の構成を示すブロック図である。
【図４】本発明を適用する他の測定データ記録装置の構成を示すブロック図である。
【発明を実施するための形態】
【００１９】
以下、本発明を実施するための形態を詳細に説明するが、本発明の範囲はこれらの実施形態に限定されるものではない。
【００２０】
図１に、本発明を適用する測定データ記録装置の一例を示す。測定データ記録装置１は、データ取得部２、ＲＴＣ（リアルタイムクロック）３、記録処理部５、データメモリ６、出力処理部７、設定条件メモリ８、表示部１１、外部Ｉ／Ｆ（インタフェース）部１２、メディアスロット１３、及び設定部１４を備えている。
【００２１】
この例では、記録処理部５及び出力処理部７が、ＣＰＵ（中央演算処理装置）１０によって構成されている例を示している。ＣＰＵ１０は、図示しないプログラム記憶部に記憶されたプログラムに従って動作して、記録処理部５及び出力処理部７として動作すると共に、測定データ記録装置１全体の動きを統括的に制御する。
【００２２】
データ取得部２は、測定データを順次取得するものである。データ取得部２には、例えば温度センサ、電流センサ、電圧センサ、測定プローブなどの測定センサが接続されて使用される。データ取得部２は、一例として測定センサから出力されるアナログの測定値を、内蔵するアナログ／デジタル変換器（図示せず）でデジタルの測定データに変換することで取得して、順次、記録処理部５に出力する。データ取得部２が測定データを取得する測定タイミングは、一例として記録処理部５により制御される。ＣＰＵ１０は、測定者に設定された、又は測定条件で決まる所定のサンプリング周期で、データ取得部２に測定データを取得させる。
【００２３】
ＲＴＣ（リアルタイムクロック）３は、現在時刻を取得するための時計であり、ＣＰＵ１０（記録処理部５）に接続されている。データ取得部２にＲＴＣ３を接続して、データ取得部２が測定データの全てに測定時刻を付して、記録処理部５に出力するようにしてもよい。
【００２４】
データメモリ６は、測定データを記録するためのものであり、ＣＰＵ１０（記録処理部５及び出力処理部７）に接続されている。データメモリ６は、書き換え可能な不揮発性メモリであり、例えばフラッシュメモリやバックアップ電源を付したＲＡＭ（ランダムアクセスメモリ）などの半導体メモリである。データメモリ６としてハードディスクを用いてもよい。
【００２５】
記録処理部５は、データメモリ６に、データ取得部２が順次取得する複数の測定データを記録すると共に、所定条件に基づく一部の測定データに対し、測定時刻を付して記録するものである。記録処理部５には、データ取得部２、ＲＴＣ３、データメモリ６、設定条件メモリ８、及び設定部１４が接続されている。
【００２６】
出力処理部７は、データメモリ６に記録された測定データを読み込んで、一部の測定データに付された測定時刻に基づいて、測定時刻の付されていない測定データの測定時刻を補完して、測定データを出力するものである。出力処理部７には、データメモリ６、設定条件メモリ８、表示部１１、外部Ｉ／Ｆ部１２、メディアスロット１３、及び設定部１４が接続されている。
【００２７】
設定条件メモリ８は、測定時刻を付す一部の測定データを決定するための所定条件を記録するものである。設定条件メモリ８には、他にも測定データの取得を行うサンプリング周期や測定レンジなどの測定条件や、表示部１１に測定データや測定時刻を表示する表示条件等も記録される。設定条件メモリ８には、書き換え可能な不揮発性メモリが用いられる。データメモリ６及び設定条件メモリ８として、記録領域を適宜分けて使用することで同じメモリ（半導体メモリ等）を共用して用いてもよいし、別個のメモリを用いてもよい。
【００２８】
表示部１１は、ＣＰＵ１０に制御されて、出力処理部７の出力する測定データ及び測定時刻を、グラフや数値で表示するものであり、例えば液晶パネルである。外部Ｉ／Ｆ部１２は、ＣＰＵ１０に制御されて、出力処理部７の出力する測定データ及び測定時刻を外部に出力可能なものであり、例えばＬＡＮ（ローカルエリアネットワーク）やインターネットなどの外部通信回線に接続可能なインタフェース回路である。メディアスロット１３は、ＣＰＵ１０に制御されて、出力処理部７の出力する測定データ及び測定時刻を、ＵＳＢ（ユニバーサルシリアルバス）メモリや、ＣＤ（コンパクトディスク）−Ｒ（レコーダブル）／ＲＷ（リライタブル）などの外部記録媒体に記録するための書込装置である。
【００２９】
設定部１４は、測定者の操作により、前述した所定条件や測定条件、表示条件など、測定データ記録装置１の各種動作条件の設定を行うためのものである。設定部１４は、測定データの記録開始や記録終了などの装置の操作を行うものとしても使用される。設定部１４は、例えば、カーソルキーや各種操作キー、キーボード、マウスなどで構成されている。設定部１４及び表示部１１として、タッチパネルを用いてもよい。また、設定部１４として、外部Ｉ／Ｆ部１２や、メディアスロット１３を用いて、外部のコンピュータや、メディアスロット１３に装着した外部記録媒体から動作条件を読み込むようにしてもよい。外部Ｉ／Ｆ部１２に接続したコンピュータから装置の操作を行うようにしてもよい。
【００３０】
次に、測定データ記録装置１の動作について説明する。
【００３１】
測定者は、測定データの記録を開始する前に、設定部１４を操作して、所定条件等の測定データ記録装置１の各種動作条件を予め設定する。ＣＰＵ１０は、設定部１４の操作で設定された動作条件を、設定条件メモリ８に記録する。
【００３２】
記録開始時には、一例として、測定者が、設定部１４の例えば記録開始キー（図示せず）を操作して、測定データ記録装置１に記録開始の指示を行う。設定部１４の操作で記録開始を指示されると、記録処理部５は、設定条件メモリ８に記録されている所定サンプリング周期等の測定条件で、データ取得部２に測定データを順次取得させる。記録処理部５は、データ取得部２が順次出力する測定データをデータメモリ６に記録する。また、記録処理部５は、設定条件メモリ８に記録された所定条件に基づき、一部の測定データにＲＴＣ３から取得した測定時刻を付して、データメモリ６に記録する。
【００３３】
所定条件は、例えば、測定データを所定サンプル数（１０サンプル等の複数サンプル）取得するたびに測定時刻を付したり、サンプリング周期よりも長い所定の時間間隔（例えば０．００１秒〜１時間等）経過するたびに測定時刻を付したり、記録開始時に最初に取得した測定データに１つだけ測定時刻を付したり、記録開始時及び記録終了時の２つの測定データに対し測定時刻を付したりできるように、種々の条件で設定できるようにすることが好ましいが、いずれか１つの条件に固定されていてもよい。所定条件として測定時刻を所定サンプル数ごとに記録するようにした場合、例えば１０サンプルごとに記録するように数を固定値にしてもよいが、例えば２〜１００００のように所定サンプル数を任意の数で設定できるようにすることがより好ましい。また、例えば所定サンプル数として１を設定可能にしたり、全測定データという条件を選択できるようにしたりすることで、従来の測定データ記録装置と同様に、全ての測定データに対して測定時刻を記録できるようにしてもよい。所定期間の経過ごとに測定時刻を付す場合、所定期間をサンプリング周期の公倍数に設定することが好ましい。設定された所定期間がサンプリング周期の公倍数に合わないときは、一例として、所定期間を自動的にサンプリング周期の公倍数に合わせて修正するようにしたり、設定された所定期間を用いて、所定期間が経過した直後の測定データに測定時刻を付したりする。
【００３４】
所定条件は、サンプリング周期が一定であるので、複数の測定データのうちの少なくとも１つの測定データに測定時刻が付されるように設定されていればよいが、例えばバックアップ電源を有しないような簡易な装置では商用電源の短時間の停電などでデータ取得部２がデータ取得抜けを起こす場合が有り得るため、所定サンプル数ごと、又は所定期間の経過ごとのように、定期的に測定時刻を付すようにすることが好ましい。
【００３５】
図２に、具体例を示す。図２（ａ）は、１μｓのサンプリング周期で、データ取得部２が測定データを取得して測定時刻と共に出力する例である。測定時刻の最上欄に記載した「12_0423_150225_622548」は、西暦2012年4月23日15時2分25.622548秒であることを表している。同図には測定時刻を記載しているが、記録処理部５がデータ取得部２に測定タイミングを指示していることから、ＲＴＣ３から時刻情報を取得して測定時刻を判別可能なので、データ取得部２は測定データだけを記録処理部５に出力してもよい。記録処理部５が測定データに対する測定時刻を判別不能であれば、データ取得部２は、ＲＴＣ３から、又は記録処理部５を介して取得した測定時刻を、同図のように全ての測定データに付して出力する。
【００３６】
図２（ｂ）は、記録処理部５が、所定条件として１０サンプルごとに、測定データに対して測定時刻を付して、データメモリ６に記録する例である。同図に示すように、記録開始時（図の最上欄）の測定時刻を測定データに付してデータメモリ６に記録し、以降は所定サンプル数ごとに測定時刻を付して記録することが好ましい。
【００３７】
従来の測定データ記録装置では、図２（ａ）に示す測定データ及び測定時刻を全てデータメモリに記録していた。本発明では、図２（ｂ）に示すように測定データ及び一部の測定データに対する測定時刻を記録する。図２（ａ）と図２（ｂ）とを比較すると明らかなように、図２（ｂ）のように時刻情報を間引いて記録することで、データメモリ６に記録するデータ量を大幅に少なくすることができる。従って、測定データの記録可能な数を多くすることができる。
【００３８】
出力処理部７は、データメモリ６に記録された複数の測定データを読み込んで、サンプリング周期が一定であることから、一部の測定データに付された測定時刻に基づいて、測定時刻の付されていない測定データの測定時刻を補完して、測定データと対応付けて出力する。
【００３９】
出力処理部７が測定時刻を補完する方法には、種々の方法がある。出力処理部７は、例えば、設定条件メモリ８に記録されているサンプリング周期を読み込んで、データメモリ６に記録されている一部の測定データの測定時刻に対して、サンプリング周期を順番に加算（又は減算）していくことで、各測定データに対する測定時刻を補完してもよい。このようにサンプリング周期を用いて測定時刻を補完する方法は、演算が簡便であることから好ましく使用することができる。又、例えば図２（ｂ）のように所定サンプル数ごとに測定時刻を記録している場合、記録されている直近の２つの測定時刻の間を、所定サンプル数に応じて等分して測定時刻を補完してもよい。データメモリ６に測定時刻が少なくとも１つ記録されていれば、サンプリング周期は一定であるので、残りの全ての測定データの測定時刻を算出することができる。測定中にサンプリング周期を変える場合、サンプリング周期を変えた箇所の測定データの測定時刻及び変更したサンプリング周期を記録しておくことで、各測定データに対する測定時刻を算出できる。
【００４０】
出力処理部７は、例えば、データメモリ６に図２（ｂ）に示す測定データ及び一部の測定時刻が記録されている場合、各測定データの測定時刻を補完することで、図２（ａ）に示す各測定データ及び各測定データの測定時刻を得て出力する。
【００４１】
このように、出力処理部７から各測定データ及び各測定データに対する測定時刻が出力されるので、表示部１１に測定データや測定時刻をグラフや数値で表示することができる。グラフは、例えば測定時刻を横軸で表し、測定データの値を縦軸で表した波形グラフである。横軸は、測定時刻を表示した絶対時間で表示してもよく、測定開始時刻、又は測定者によって例えばカーソルで選択された測定時刻をゼロとする相対時間で表示してもよい。
【００４２】
出力処理部７は、表示部１１に測定データの一部をグラフで表示する場合、表示対象となる測定データに関してだけ、測定時刻を補完して出力するようにしてもよい。表示部１１に表示した測定データのグラフに、マーカー（カーソル）を表示する場合、マーカーの位置の測定時刻を出力処理部７が再度算出して、数値で表示するようにしてもよい。測定者が設定部１４を操作して、マーカーを移動させる場合、マーカーの位置に応じた測定時刻を出力処理部７が逐次算出（補完）して求め、表示部１１に表示させることが好ましい。グラフ上にマーカーを複数表示させて、複数のマーカー間の時間差を算出するように演算処理を行う場合、出力処理部７が各マーカーの位置の測定時刻を算出してから、各マーカーの時間差等を演算処理して、数値で表示してもよい。
【００４３】
出力処理部７から各測定データ及び各測定データに対する測定時刻が出力されるので、外部Ｉ／Ｆ部１２から出力したり、メディアスロット１３で外部記録媒体に記録したりすることができる。測定データの外部出力装置として、表示部１１、外部Ｉ／Ｆ部１２、及びメディアスロット１３が出力処理部７に接続されている例を示したが、外部出力装置はプリンターであってもよく、備える装置の数や種類は任意である。
【００４４】
データメモリ６に記録する測定データは間引かないため、記録精度は、従来の測定データ記録装置と同等である。測定時刻を間引いて記録することで、データメモリ６に記録するデータ量が減るだけでなく、測定時刻を間引くことでＣＰＵ１０とデータメモリ６との間のデータ通信量が減るため、消費電力を少なくできるという効果もある。データメモリ６が保持するデータ量も減るので、データメモリ６自体の消費電力も少なくできる。さらに、データメモリ６にはデータの書き換え可能回数に制限があるが、測定時刻を間引いて記録するため、データ量が減って書き換え回数が減るので、データメモリ６の寿命を長くすることができる。
【００４５】
なお、データ取得部２から出力される測定データをリアルタイムに表示部１１に表示させる場合、記録処理部５は、表示部１１には測定時刻を間引かずに、例えば図２（ａ）のように出力された測定データをそのまま出力して表示するようにしてもよい。つまり、測定時にリアルタイムに測定データを表示する場合には、記録処理部５は、測定データの記録用にデータメモリ６に測定時刻を間引いた測定データを出力すると共に、表示用として、全ての測定データに測定時刻を付した状態で、表示部１１に測定データを直接出力するようにしてもよい。このようにすると、リアルタイム表示のために測定時刻を補完しなくてもよいので、リアルタイム表示の処理負担を低減することができる。
【００４６】
図３に、本発明を適用する他の測定データ記録装置の例を示す。なお、すでに説明した構成と同様の構成には同じ符号を付し、詳細な説明を省略する。
【００４７】
同図に示す測定データ記録装置１ａは、測定ユニット２１と本体２２とを備えている。測定ユニット２１と本体２２とは互いに離れた場所に設置されて使用され、測定データは無線通信で送受される。
【００４８】
測定ユニット２１は、データ取得部２、ＲＴＣ３、記録処理部５、設定条件メモリ８ａ、及び無線通信部２５を備えている。この例では、記録処理部５は、測定ユニット２１の動作を統括的に制御するＣＰＵ１０ａによって構成されている例を示している。
【００４９】
本体２２は、データメモリ６、出力処理部７、設定条件メモリ８ｂ、表示部１１、外部Ｉ／Ｆ部１２、メディアスロット１３、設定部１４、及び無線通信部２６を備えている。この例では、出力処理部７は、本体２２の動作を統括的に制御するＣＰＵ１０ｂによって構成されている例を示している。
【００５０】
測定ユニット２１の無線通信部２５と、本体２２の無線通信部２６とは、互いに無線通信が可能なものである。無線通信部２５，２６により、測定ユニット２１から本体２２に測定データを送信したり、本体２２から測定ユニット２１に動作条件を送信したりすることが可能になっている。無線通信部２５，２６は、各々、無線送信回路及び無線受信回路（不図示）を備えると共にアンテナを備えている。無線通信部２５，２６には、公知のものを用いることができる。無線信号は、電波、赤外線、又は光のいずれであってもよい。１０ｍ〜数１００ｍ程度の近距離通信を行う場合、無線通信部２５，２６として、Ｂｌｕｅｔｏｏｔｈ（登録商標）規格に準拠したものを用いると、小型化、入手性の観点や、免許が不要であることから、特に好ましい。
【００５１】
次に、測定データ記録装置１ａの動作について説明する。
【００５２】
測定者は、測定データの記録を開始する前に、本体２２の設定部１４を操作して、前述した所定条件などの測定データ記録装置１ａの各種動作条件の設定を行う。ＣＰＵ１０ｂは、設定された動作条件を、設定条件メモリ８ｂに記録すると共に、所定条件や測定条件等の測定ユニット２１に関連する動作条件を無線通信部２６から測定ユニット２１に送信する。測定ユニット２１は、無線通信部２５によって、本体２２から送信された動作条件を受信する。測定ユニット２１のＣＰＵ１０ａは、無線通信部２５が受信した動作条件を、設定条件メモリ８ａに記録する。
【００５３】
記録開始時には、一例として、測定者が、設定部１４の例えば記録開始キーを操作して、測定データ記録装置１ａに記録開始の指示を行う。設定部１４の操作で測定者に記録開始を指示されると、ＣＰＵ１０ｂは、無線通信部２６から記録開始信号を測定ユニット２１に送信させる。測定ユニット２１の記録処理部５は、無線通信部２５によって記録開始信号を受信したときに、設定条件メモリ８ａに記録されているサンプリング周期等の測定条件で、データ取得部２に測定データを順次取得させる。記録処理部５は、データ取得部２が順次出力する測定データを、無線通信部２５から本体２２に送信する。このとき、記録処理部５は、設定条件メモリ８ａに記録されている所定条件に基づいて、例えば図２（ｂ）に示すように、一部の測定データに対して測定時刻を付して送信させる。測定時刻は、測定時に、データ取得部２又は記録処理部５がＲＴＣ３から取得する。所定条件については、既に説明したとおりである。
【００５４】
測定ユニット２１から本体２２に送信する測定データのデータ量は、一部の測定データに測定時刻が付されているだけであるので、全ての測定データに測定時刻を付す場合よりも、無線通信のデータ量を大幅に少なくすることができる。測定時刻は、例えば無線通信環境の悪化などでデータ抜けが生じる可能性もあることから、所定サンプルごと又は所定期間の経過ごとのように、定期的に付すことが好ましい。
【００５５】
本体２２は、無線通信部２６によって、測定ユニット２１が送信した測定データを受信する。ＣＰＵ１０ｂは、無線通信部２６の受信した測定データをデータメモリ６に記録する。出力処理部７は、データメモリ６に記録された測定データを読み込んで、一部の測定データに付された測定時刻に基づいて、既に説明したようにサンプリング周期や所定条件を用いて、測定時刻の付されていない測定データに対して測定時刻を補完して、測定データを出力する。
【００５６】
表示部１１は、出力処理部７の出力した測定データを表示する。又、設定部１４の操作により、出力処理部７の出力した測定データを外部Ｉ／Ｆ部１２から出力したり、メディアスロット１３で外部記録媒体に記録したりする。
【００５７】
データ取得部２は、複数の測定センサを接続可能、つまり複数の測定チャネルで測定可能に構成されていてもよい。また、測定データ記録装置１ａは、１つの本体２２に対し、複数の測定ユニット２１を備えていてもよい。測定チャネル数が多くなるほど、測定時刻を間引くことによる記録データ容量やデータ通信量の低減効果が一層大きくなる。
【００５８】
図４に、本発明を適用するさらに他の測定データ記録装置の例を示す。なお、すでに説明した構成と同様の構成には同じ符号を付し、詳細な説明を省略する。
【００５９】
同図に示す測定データ記録装置１ｂは、測定ユニット２１ｂと本体２２ｂとを備えている。測定ユニット２１ｂと本体２２ｂとは互いに離れた場所に設置されて使用され、測定データは無線通信で送受される。
【００６０】
測定ユニット２１ｂは、データ取得部２、ＲＴＣ３、測定ユニット制御部３１、設定条件メモリ８ａ、及び無線通信部２５を備えている。測定ユニット制御部３１は、測定ユニット２１ｂの動作を統括的に制御するＣＰＵ１０ｃによって構成されている例を示している。
【００６１】
本体２２は、記録処理部５、データメモリ６、出力処理部７、設定条件メモリ８ｂ、表示部１１、外部Ｉ／Ｆ部１２、メディアスロット１３、設定部１４、及び無線通信部２６を備えている。記録処理部５及び出力処理部７は、本体２２の動作を統括的に制御するＣＰＵ１０ｄによって構成されている。
【００６２】
次に、測定データ記録装置１ｂの動作について説明する。
【００６３】
測定者は、測定データの記録を開始する前に、本体２２ｂの設定部１４を操作して、測定データ記録装置１ｂの各種動作条件の設定を行う。ＣＰＵ１０ｄは、設定された所定条件などの動作条件を設定条件メモリ８ｂに記録すると共に、測定条件等の測定ユニット２１に関連する動作条件を無線通信部２６から測定ユニット２１ｂに送信する。測定ユニット２１は、無線通信部２５によって、本体２２ｂから送信された動作条件を受信する。測定ユニット２１ｂのＣＰＵ１０ｃは、無線通信部２５が受信した動作条件を、設定条件メモリ８ａに記録する。
【００６４】
設定部１４の操作で測定者に記録開始を指示されると、ＣＰＵ１０ｄは、無線通信部２６から記録開始信号を測定ユニット２１に送信させる。測定ユニット２１ｂの測定ユニット制御部３１は、無線通信部２５によって記録開始信号を受信したときに、設定条件メモリ８ａに記録されているサンプリング周期等の測定条件で、データ取得部２に測定データを順次取得させる。測定ユニット制御部３１は、データ取得部２が順次出力する測定データを、無線通信部２５から本体２２に送信する。このとき測定ユニット制御部３１は、測定した全ての測定データに対して測定時刻を付して無線通信部２５から送信させる。測定時刻は、測定時にＲＴＣ３から取得する。
【００６５】
本体２２ｂは、無線通信部２６によって、測定ユニット２１ｂが送信した測定データを受信する。受信した全ての測定データに対して測定時刻が付されているが、記録処理部５は、設定条件メモリ８に記録された所定条件に基づき、一部の測定データにだけ測定時刻を付して、測定データをデータメモリ６に順次記録する。所定条件については、既に説明したとおりである。
【００６６】
出力処理部７は、データメモリ６に記録された測定データを読み込んで、一部の測定データに付された測定時刻に基づいて、測定時刻の付されていない測定データに対して測定時刻を補完して、測定データを出力する。補完については、既に説明したとおりである。また、表示部１１、外部Ｉ／Ｆ部１２、メディアスロット１３の動作は既に説明した通りである。
【符号の説明】
【００６７】
１・１ａ・１ｂは測定データ記録装置、２はデータ取得部、３はＲＴＣ、５は記録処理部、６はデータメモリ、７は出力処理部、８・８ａ・８ｂは設定条件メモリ、１０・１０ａ・１０ｂ・１０ｃ・１０ｄはＣＰＵ、１１は表示部、１２は外部Ｉ／Ｆ部、１３はメディアスロット、１４は設定部、２１・２１ｂは測定ユニット、２２・２２ｂは本体、２５は測定ユニットの無線通信部、２６は本体の無線通信部、３１は測定ユニット制御部である。
【図１】
2014202587.tif 000003
【図２】
2014202587.tif 000004
【図３】
2014202587.tif 000005
【図４】
2014202587.tif 000006